(57)【要約】      （修正有）【課題】木製部材を用いた軸材と貫との接合構造及び接合方法を提供する。【解決手段】貫３は分割されており、軸材６における貫穴８の貫長手方向の両側下部の縁部及び両側縦部分の縁部に係合される凹部１７を有する分割通し貫１と、分割通し貫１に重合され、軸材６の貫穴８に先端部が挿し込まれる挿し込み角ほぞ部１９を有する挿し込み用貫３とにより貫本体が構成され、分割通し貫１と、挿し込み用貫２とには、接合用溝７又は半分割接合用溝が設けられ、重合面を中心として対向する接合用溝７相互により、又は重合面を中心として対向する一方の接合用溝７と他方の２つの半分割接合用溝とにより、閉鎖接合用孔９が間隔をおいて形成され、その閉鎖接合用孔９に、楔式接合装置が設けられて、一体化されて貫が構成され、前記貫が軸材の外側面に係合して応力の伝達を可能とされている。【選択図】図１
2013147826.tif 000002
【特許請求の範囲】
【請求項１】
柱又は束からなる木製の軸材の貫穴に貫を配置すると共に楔などの固定手段により木製の貫を前記軸材に固定する軸材と貫の接合構造であって、
前記軸材の貫穴に貫通配置され、軸材における貫穴の貫長手方向の両側下部の縁部及び両側縦部分の縁部に係合される凹部を有する分割通し貫と、
前記分割通し貫に重合されると共に、前記軸材の貫穴に先端部が挿し込まれて軸材における貫穴の貫長手方向の下部の縁部及び縦部分の縁部に係合される挿し込み角ほぞ部を有する挿し込み用貫とにより貫本体が構成され、
前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が設けられて、前記分割通し貫と挿し込み用貫が一体化されて貫が構成され、前記貫と軸材とは、貫穴に先端部が配置される楔などの固定手段により固定されていることを特徴とする軸材と貫との接合構造。
【請求項２】
柱又は束からなる木製の軸材の貫穴に貫を配置すると共に楔などの固定手段により木製の貫を前記軸材に固定する軸材と貫の接合構造であって、
前記軸材の貫穴に貫通配置され、軸材における貫穴の貫長手方向の両側下部の縁部及び両側縦部分の縁部に係合される凹部を有する分割通し貫と、
前記分割通し貫に重合されると共に、前記軸材の貫穴に先端部が挿し込まれて軸材における貫穴の貫長手方向の下部の縁部及び縦部分の縁部に係合される挿し込み角ほぞ部を有する挿し込み用貫とにより貫本体が構成され、
前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記各分割通し貫及び挿し込み用貫の溝長手方向に伸びる押圧用の楔式接合装置が設けられて、前記分割通し貫と挿し込み用貫が一体化されて貫が構成され、前記貫と軸材とは、貫穴に先端部が配置される楔などの固定手段により固定されていることを特徴とする軸材と貫との接合構造。
【請求項３】
軸材の貫穴の上部下面は軸材長手方向に対して傾斜して設けられ、貫の下面にＶ字状切欠き凹部が設けられ、前記Ｖ字状切欠き凹部が、軸材の貫穴の下部上面と軸材の外側面に係合するように嵌合されていることを特徴とする請求項１又は２に記載の軸材と貫との接合構造。
【請求項４】
柱又は束からなる木製の軸材の貫穴に貫を配置すると共に楔などの固定手段により木製の貫を前記軸材に固定する軸材と貫の接合構造であって、
前記軸材の貫穴に貫通配置され、軸材における貫穴の貫長手方向の両側下部の縁部及び両側縦部分の縁部に係合される凹部を有する分割通し貫と、
前記分割通し貫に重合されると共に、前記軸材の貫穴に先端部が挿し込まれて軸材における貫穴の貫長手方向の下部の縁部及び縦部分の縁部に係合される挿し込み角ほぞ部を有する壁板の一部とにより貫本体が構成され、
前記分割通し貫と、前記分割通し貫に重合される壁板とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記分割通し貫及び壁板の溝長手方向に伸びる押圧用の楔式接合装置が設けられて、前記分割通し貫と壁板が一体化されて前記分割通し貫と壁板の一部とにより貫が構成され、前記貫と軸材とは、貫穴に配置された楔などの固定手段又は軸材と壁板との間に配置された楔などの固定手段により固定されていることを特徴とする軸材と貫との接合構造。
【請求項５】
前記楔式接合装置は、楔用傾斜面を有する少なくとも一対の木製接合部材を備えていることを特徴とする請求項２〜３のいずれか１項に記載の軸材と貫との接合構造。
【請求項６】
軸材は、複数の並列する部材からなる軸材とされ、並列する各部材の貫穴が直列に連通された部材とされ、部材の貫穴に分割通し貫が挿通されていると共に、貫軸方向の軸材の両側面に、分割通し貫の凹部の側壁面が係合していることを特徴とする請求項１〜５のいずれか１項に記載の軸材と貫との接合構造。
【請求項７】
貫と壁板とは、腰壁又は耐火・耐震壁を形成するために、軸材に設けられた溝に嵌合されていることを特徴とする請求項１〜５のいずれか１項に記載の軸材と貫との接合構造。
【請求項８】
柱又は束からなる木製の軸材の貫穴に貫を配置すると共に楔などの固定手段により木製の貫を前記軸材に固定する軸材と貫の接合方法であって、
軸材における貫穴の貫長手方向の両側下部の縁部及び両側縦部分の縁部に係合される凹部を有する分割通し貫を前記軸材の貫穴に貫通配置し、
前記分割通し貫に重合すると共に、前記軸材の貫穴に先端部が挿し込まれて軸材における貫穴の貫長手方向の下部の縁部及び縦部分の縁部に係合される挿し込み角ほぞ部を有する挿し込み用貫を配置して、前記分割通し貫と挿し込み用貫とにより貫本体を構成し、
前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、その閉鎖接合用孔に、係止凸部を前記重合面を中心として対称に有する木製接合部材を設けて、前記分割通し貫と挿し込み用貫を一体化して貫を構成し、前記貫と軸材とを、貫穴に先端部を配置する楔などの固定手段により固定することを特徴とする軸材と貫との接合方法。
【請求項９】
柱又は束からなる木製の軸材の貫穴に貫を配置すると共に楔などの固定手段により木製の貫を前記軸材に固定する軸材と貫の接合方法であって、
軸材における貫穴の貫長手方向の両側下部の縁部及び両側縦部分の縁部に係合される凹部を有する分割通し貫を前記軸材の貫穴に貫通配置し、
前記分割通し貫に重合すると共に、前記軸材の貫穴に先端部が挿し込まれて軸材における貫穴の貫長手方向の下部の縁部及び縦部分の縁部に係合される挿し込み角ほぞ部を有する挿し込み用貫を配置して、前記分割通し貫と挿し込み用貫とにより貫本体を構成し、
前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、その閉鎖接合用孔に、係止凸部を前記重合面を中心として対称に有する木製接合部材を複数挿入配置して接合し、かつ前記各木製接合部材の背面側に楔用傾斜面を有し、少なくとも対向する一対の楔用傾斜面を有する楔式接合装置であって、前記各分割通し貫及び挿し込み用貫の溝長手方向に伸びる押圧用の楔式接合装置を設けて、前記分割通し貫と挿し込み用貫を一体化して貫を構成し、前記貫と軸材とを、貫穴に先端部を配置する楔などの固定手段により固定することを特徴とする軸材と貫との接合方法。
【請求項１０】
柱又は束からなる木製の軸材の貫穴に貫を配置すると共に楔などの固定手段により木製の貫を前記軸材に固定する軸材と貫の接合方法であって、
軸材における貫穴の貫長手方向の両側下部の縁部及び両側縦部分の縁部に係合される凹部を有する分割通し貫を前記軸材の貫穴に貫通配置し、
前記分割通し貫に重合すると共に、前記軸材の貫穴に先端部が挿し込まれて軸材における貫穴の貫長手方向の下部の縁部及び縦部分の縁部に係合される挿し込み角ほぞ部を有する壁板の一部とにより貫本体を構成し、
前記分割通し貫と、前記分割通し貫に重合される壁板とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、
その閉鎖接合用孔に、係止凸部を前記重合面を中心として対称に有する木製接合部材を複数挿入配置して接合し、かつ前記各木製接合部材の背面側に楔用傾斜面を有し、少なくとも対向する一対の楔用傾斜面を有する楔式接合装置であって、前記分割通し貫及び壁板の溝長手方向に伸びる押圧用の楔式接合装置を設けて、前記分割通し貫と壁板を一体化して前記分割通し貫と壁板の一部とにより貫を構成し、前記貫と軸材とを、貫穴に配置した楔などの固定手段又は軸材と壁板との間に配置した楔などの固定手段により固定することを特徴とする軸材と貫との接合方法。
【発明の詳細な説明】
【技術分野】
【０００１】
本発明は、木製部材を用いた軸材と貫との接合構造及び接合方法に関する。
【背景技術】
【０００２】
木材を利用した接合構造は、生活環境にやさしく、耐用年数も長いことも知られていることから、今日、接着剤或は金物を使用しない、接合構造或いは工法が求められている。
【０００３】
従来、図２２に示すように、木製柱からなる軸材６に矩形の貫穴８を設けて、一枚もので板厚が一定の木製貫４０を貫穴８に挿通すると共に、その木製貫４０の中間部を、貫穴８内に圧入した木製楔４１により固定するようにした柱と貫との軸組み構造が知られている（例えば、非特許文献１）。なお、建物の構造用部材相互の接合構造ではないが、図２３（ａ）〜（ｃ）に示すように、格子戸４４における縦方向の格子子４５に設けた貫穴４６に、薄板からなり前後に分割した貫片で、貫穴４６に対応した部分に、上下に貫通するように連続し板厚方向に凹む外側面凹部５０を有する前部分割貫片４７と、後部分割貫片４８とを組み合わせた組合せ貫４９も知られている（例えば、非特許文献２参照）。
【先行技術文献】
【非特許文献】
【０００４】
【非特許文献１】中原靖夫、「建築木構造工作図集」第６３頁、柱とぬきの仕口、理工学社、１９６７年１２月１５日発行
【非特許文献２】「伝木  第１９号」第１２頁〜第１３頁、木製建具のディテール、特定非営利活動法人  伝統木構造の会、２０１１年６月２０日発行
【発明の概要】
【発明が解決しようとする課題】
【０００５】
前記従来の場合は、柱からなる軸材６の貫穴８に一枚ものの木製貫４０が挿入配置されている構造であり、貫穴８の前後方向の幅寸法内に、貫の板厚寸法が制限されることになるため、柱間における貫の板厚を厚くすることが困難であり、柱と貫の接合構造を、より接合強度の高い構造とすることも困難であるという問題があった。また、図２３（ａ）〜（ｃ）に示す格子戸４４における組合せ貫４９では、貫全体の板厚は厚くなるものの、前部分割貫片４７と後部分割貫片４８とが一体化されていないため、前部分割貫片４７と後部分割貫片４８との中間部では分離された状態であるので、中間部では応力の伝達が起こらず、構造的に一体化された構造ではない。また、格子戸４４では貫穴４６に楔を設置する構造ではない。
【０００６】
そこで、本発明は前記の課題を解消することができる木製部材を用いた軸材と貫との接合構造及び接合方法を提供することを目的とする。
【課題を解決するための手段】
【０００７】
前記の課題を有利に解決するために、第１発明の軸材と貫との接合構造においては、柱又は束からなる木製の軸材の貫穴に貫を配置すると共に楔などの固定手段により木製の貫を前記軸材に固定する軸材と貫の接合構造であって、前記軸材の貫穴に貫通配置され、軸材における貫穴の貫長手方向の両側下部の縁部及び両側縦部分の縁部に係合される凹部を有する分割通し貫と、前記分割通し貫に重合されると共に、前記軸材の貫穴に先端部が挿し込まれて軸材における貫穴の貫長手方向の下部の縁部及び縦部分の縁部に係合される挿し込み角ほぞ部を有する挿し込み用貫とにより貫本体が構成され、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が設けられて、前記分割通し貫と挿し込み用貫が一体化されて貫が構成され、前記貫と軸材とは、貫穴に先端部が配置される楔などの固定手段により固定されていることを特徴とする。
【０００８】
第２発明の軸材と貫との接合構造では、柱又は束からなる木製の軸材の貫穴に貫を配置すると共に楔などの固定手段により木製の貫を前記軸材に固定する軸材と貫の接合構造であって、前記軸材の貫穴に貫通配置され、軸材における貫穴の貫長手方向の両側下部の縁部及び両側縦部分の縁部に係合される凹部を有する分割通し貫と、前記分割通し貫に重合されると共に、前記軸材の貫穴に先端部が挿し込まれて軸材における貫穴の貫長手方向の下部の縁部及び縦部分の縁部に係合される挿し込み角ほぞ部を有する挿し込み用貫とにより貫本体が構成され、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記各分割通し貫及び挿し込み用貫の溝長手方向に伸びる押圧用の楔式接合装置が設けられて、前記分割通し貫と挿し込み用貫が一体化されて貫が構成され、前記貫と軸材とは、貫穴に先端部が配置される楔などの固定手段により固定されていることを特徴とする。
【０００９】
第３発明では、第１発明又は第２発明の軸材と貫との接合構造において、軸材の貫穴の上部下面は軸材長手方向に対して傾斜して設けられ、貫の下面にＶ字状切欠き凹部が設けられ、前記Ｖ字状切欠き凹部が、軸材の貫穴の下部上面と軸材の外側面に係合するように嵌合されていることを特徴とする。
【００１０】
第４発明の軸材と貫との接合構造では、柱又は束からなる木製の軸材の貫穴に貫を配置すると共に楔などの固定手段により木製の貫を前記軸材に固定する軸材と貫の接合構造であって、前記軸材の貫穴に貫通配置され、軸材における貫穴の貫長手方向の両側下部の縁部及び両側縦部分の縁部に係合される凹部を有する分割通し貫と、前記分割通し貫に重合されると共に、前記軸材の貫穴に先端部が挿し込まれて軸材における貫穴の貫長手方向の下部の縁部及び縦部分の縁部に係合される挿し込み角ほぞ部を有する壁板の一部とにより貫本体が構成され、前記分割通し貫と、前記分割通し貫に重合される壁板とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記分割通し貫及び壁板の溝長手方向に伸びる押圧用の楔式接合装置が設けられて、前記分割通し貫と壁板が一体化されて前記分割通し貫と壁板の一部とにより貫が構成され、前記貫と軸材とは、貫穴に配置された楔などの固定手段又は軸材と壁板との間に配置された楔などの固定手段により固定されていることを特徴とする。
【００１１】
第５発明では、第２発明〜第３発明のいずれかの軸材と貫との接合構造において、前記楔式接合装置は、楔用傾斜面を有する少なくとも一対の木製接合部材を備えていることを特徴とする。
【００１２】
第６発明では、第１発明〜第５発明のいずれかの軸材と貫との接合構造において、軸材は、複数の並列する部材からなる軸材とされ、並列する各部材の貫穴が直列に連通された部材とされ、部材の貫穴に分割通し貫が挿通されていると共に、貫軸方向の軸材の両側面に、分割通し貫の凹部の側壁面が係合していることを特徴とする。
【００１３】
第７発明では、第１発明〜第６発明のいずれかの軸材と貫との接合構造において、貫と壁板とは、腰壁又は耐火・耐震壁を形成するために、軸材に設けられた溝に嵌合されていることを特徴とする。
【００１４】
第８発明の軸材と貫との接合方法においては、柱又は束からなる木製の軸材の貫穴に貫を配置すると共に楔などの固定手段により木製の貫を前記軸材に固定する軸材と貫の接合方法であって、軸材における貫穴の貫長手方向の両側下部の縁部及び両側縦部分の縁部に係合される凹部を有する分割通し貫を前記軸材の貫穴に貫通配置し、前記分割通し貫に重合すると共に、前記軸材の貫穴に先端部が挿し込まれて軸材における貫穴の貫長手方向の下部の縁部及び縦部分の縁部に係合される挿し込み角ほぞ部を有する挿し込み用貫を配置して、前記分割通し貫と挿し込み用貫とにより貫本体を構成し、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、その閉鎖接合用孔に、係止凸部を前記重合面を中心として対称に有する木製接合部材を設けて、前記分割通し貫と挿し込み用貫を一体化して貫を構成し、前記貫と軸材とを、貫穴に先端部を配置する楔などの固定手段により固定することを特徴とする。
【００１５】
第９発明の軸材と貫との接合方法においては、柱又は束からなる木製の軸材の貫穴に貫を配置すると共に楔などの固定手段により木製の貫を前記軸材に固定する軸材と貫の接合方法であって、軸材における貫穴の貫長手方向の両側下部の縁部及び両側縦部分の縁部に係合される凹部を有する分割通し貫を前記軸材の貫穴に貫通配置し、前記分割通し貫に重合すると共に、前記軸材の貫穴に先端部が挿し込まれて軸材における貫穴の貫長手方向の下部の縁部及び縦部分の縁部に係合される挿し込み角ほぞ部を有する挿し込み用貫を配置して、前記分割通し貫と挿し込み用貫とにより貫本体を構成し、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、その閉鎖接合用孔に、係止凸部を前記重合面を中心として対称に有する木製接合部材を複数挿入配置して接合し、かつ前記各木製接合部材の背面側に楔用傾斜面を有し、少なくとも対向する一対の楔用傾斜面を有する楔式接合装置であって、前記各分割通し貫及び挿し込み用貫の溝長手方向に伸びる押圧用の楔式接合装置を設けて、前記分割通し貫と挿し込み用貫を一体化して貫を構成し、前記貫と軸材とを、貫穴に先端部を配置する楔などの固定手段により固定することを特徴とする。
【００１６】
第１０発明の軸材と貫との接合方法においては、柱又は束からなる木製の軸材の貫穴に貫を配置すると共に楔などの固定手段により木製の貫を前記軸材に固定する軸材と貫の接合方法であって、軸材における貫穴の貫長手方向の両側下部の縁部及び両側縦部分の縁部に係合される凹部を有する分割通し貫を前記軸材の貫穴に貫通配置し、前記分割通し貫に重合すると共に、前記軸材の貫穴に先端部が挿し込まれて軸材における貫穴の貫長手方向の下部の縁部及び縦部分の縁部に係合される挿し込み角ほぞ部を有する壁板の一部とにより貫本体を構成し、前記分割通し貫と、前記分割通し貫に重合される壁板とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、その閉鎖接合用孔に、係止凸部を前記重合面を中心として対称に有する木製接合部材を複数挿入配置して接合し、かつ前記各木製接合部材の背面側に楔用傾斜面を有し、少なくとも対向する一対の楔用傾斜面を有する楔式接合装置であって、前記分割通し貫及び壁板の溝長手方向に伸びる押圧用の楔式接合装置を設けて、前記分割通し貫と壁板を一体化して前記分割通し貫と壁板の一部とにより貫を構成し、前記貫と軸材とを、貫穴に配置した楔などの固定手段又は軸材と壁板との間に配置した楔などの固定手段により固定することを特徴とする。
【発明の効果】
【００１７】
第１発明の軸材と貫との接合構造によると、柱又は束からなる木製の軸材の貫穴に貫を配置すると共に楔などの固定手段により木製の貫を前記軸材に固定する軸材と貫の接合構造であって、前記軸材の貫穴に貫通配置され、軸材における貫穴の貫長手方向の両側下部の縁部及び両側縦部分の縁部に係合される凹部を有する分割通し貫と、前記分割通し貫に重合されると共に、前記軸材の貫穴に先端部が挿し込まれて軸材における貫穴の貫長手方向の下部の縁部及び縦部分の縁部に係合される挿し込み角ほぞ部を有する挿し込み用貫とにより貫本体が構成され、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が設けられて、前記分割通し貫と挿し込み用貫が一体化されて貫が構成され、前記貫と軸材とは、貫穴に先端部が配置される楔などの固定手段により固定されているので、次のような効果が得られる。分割通し貫と挿し込み用貫とに分割しているため、軸材間においては、分割通し貫と挿し込み用貫の板厚を厚くすることができ、しかも軸材における貫穴の下部及び縦部分の縁部に分割通し貫及び挿し込み用貫を係合させることができ、また、接合用溝が合わさることで閉鎖接合用孔内に、木製接合部材を設置することで、従来の場合よりも厚みが大きい貫を形成することができ、しかも貫を軸材の外側面に係合させて応力を伝達可能に一体化することができるので、従来の場合よりも強固な軸材と貫の接合構造とすることができる。また、木製接合部材により、分割通し貫と挿し込み用貫とを重合面に向って密着させることができると共に応力の伝達を図ることができる。
【００１８】
第２発明の軸材と貫との接合構造によると、柱又は束からなる木製の軸材の貫穴に貫を配置すると共に楔などの固定手段により木製の貫を前記軸材に固定する軸材と貫の接合構造であって、前記軸材の貫穴に貫通配置され、軸材における貫穴の貫長手方向の両側下部の縁部及び両側縦部分の縁部に係合される凹部を有する分割通し貫と、前記分割通し貫に重合されると共に、前記軸材の貫穴に先端部が挿し込まれて軸材における貫穴の貫長手方向の下部の縁部及び縦部分の縁部に係合される挿し込み角ほぞ部を有する挿し込み用貫とにより貫本体が構成され、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記各分割通し貫及び挿し込み用貫の溝長手方向に伸びる押圧用の楔式接合装置が設けられて、前記分割通し貫と挿し込み用貫が一体化されて貫が構成され、前記貫と軸材とは、貫穴に先端部が配置される楔などの固定手段により固定されているので、次のような効果が得られる。分割通し貫と挿し込み用貫とに分割しているため、軸材間においては、分割通し貫と挿し込み用貫の板厚を厚くすることができ、しかも軸材における貫穴の下部及び縦部分の縁部に分割通し貫及び挿し込み用貫を係合させることができ、また、接合用溝が合わさることで閉鎖接合用孔内に、木製接合部材を備えた楔式接合装置を挿入設置することで、従来の場合よりも厚みが大きい貫を形成することができ、しかも貫を軸材の外側面に係合させて応力を伝達可能に一体化することができるので、従来の場合よりも強固な軸材と貫の接合構造とすることができる。また、楔式接合装置により、分割通し貫と挿し込み用貫とを重合面に向って密着させることができると共に応力の伝達を図ることができる。
【００１９】
第３発明によると、第１発明又は第２発明の軸材と貫との接合構造において、軸材の貫穴の上部下面は軸材長手方向に対して傾斜して設けられ、貫の下面にＶ字状切欠き凹部が設けられ、前記Ｖ字状切欠き凹部が、軸材の貫穴の下部上面と軸材の外側面に係合するように嵌合されているので、軸材の貫穴の上部下面を軸材長手方向に対して傾斜して設け、貫の下面にＶ字状切欠き凹部を設けるだけで、貫を傾斜して配置する場合でも、前記第１発明又は第２発明と同様な効果を得ることができる。
【００２０】
第４発明の軸材と貫との接合構造によると、柱又は束からなる木製の軸材の貫穴に貫を配置すると共に楔などの固定手段により木製の貫を前記軸材に固定する軸材と貫の接合構造であって、前記軸材の貫穴に貫通配置され、軸材における貫穴の貫長手方向の両側下部の縁部及び両側縦部分の縁部に係合される凹部を有する分割通し貫と、前記分割通し貫に重合されると共に、前記軸材の貫穴に先端部が挿し込まれて軸材における貫穴の貫長手方向の下部の縁部及び縦部分の縁部に係合される挿し込み角ほぞ部を有する壁板の一部とにより貫本体が構成され、前記分割通し貫と、前記分割通し貫に重合される壁板とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔が間隔をおいて形成され、その閉鎖接合用孔に、係止凸部を前記重合面を中心として対称に有する木製接合部材が複数挿入配置され、かつ前記各木製接合部材の背面側に楔用傾斜面を有し、少なくとも対向する一対の楔用傾斜面を有する楔式接合装置であって、前記分割通し貫及び壁板の溝長手方向に伸びる押圧用の楔式接合装置が設けられて、前記分割通し貫と壁板が一体化されて前記分割通し貫と壁板の一部とにより貫が構成され、前記貫と軸材とは、貫穴に配置された楔などの固定手段又は軸材と壁板との間に配置された楔などの固定手段により固定されているので、次のような効果を得ることができる。分割通し貫と壁板の一部により断面の大きい貫をとすることができ、軸材間においては、分割通し貫と壁板の板厚を厚くすることができ、しかも軸材における貫穴の下部及び縦部分の縁部に分割通し貫及び壁板を係合させることができ、また、接合用溝が合わさることで閉鎖接合用孔内に、木製接合部材を備えた楔式接合装置を挿入設置することで、従来の場合よりも厚みが大きい貫を形成することができ、しかも貫を軸材の外側面に係合させて応力を伝達可能に一体化することができるので、従来の場合よりも強固な軸材と貫の接合構造とすることができる。また、楔式接合装置により、分割通し貫と壁板とを重合面に向って密着させることができると共にせん断力の伝達を図ることができる。
【００２１】
第５発明によると、第２発明〜第４発明のいずれかの軸材と貫との接合構造において、前記楔式接合装置は、楔用傾斜面を有する少なくとも一対の木製接合部材を備えているので、分割通し貫と、挿し込み用貫又は壁材の一部とを一体化して貫及び壁を形成することができる等の効果が得られる。
【００２２】
第６発明によると、第１発明〜第５発明のいずれかの軸材と貫との接合構造において、軸材は、複数の並列する部材からなる軸材とされ、並列する各部材の貫穴が直列に連通された部材とされ、部材の貫穴に分割通し貫が挿通されていると共に、貫軸方向の軸材の両側面に、分割通し貫の凹部の側壁面が係合しているので、複数の並列する部材からなる軸材であっても、貫の凹部を係合させることができる等の効果が得られる。
【００２３】
第７発明によると、第１発明〜第６発明のいずれかの軸材と貫との接合構造において、貫と壁板とは、腰壁又は耐火・耐震壁を形成するために、軸材に設けられた溝に嵌合されているので、貫と壁板とを、腰壁又は耐火・耐震壁を構成する要素として利用することができ、強固な腰壁或いは耐火・耐震壁を構成することができる等の効果が得られる。
【００２４】
第８発明の軸材と貫との接合方法によると、柱又は束からなる木製の軸材の貫穴に貫を配置すると共に楔などの固定手段により木製の貫を前記軸材に固定する軸材と貫の接合方法であって、軸材における貫穴の貫長手方向の両側下部の縁部及び両側縦部分の縁部に係合される凹部を有する分割通し貫を前記軸材の貫穴に貫通配置し、前記分割通し貫に重合すると共に、前記軸材の貫穴に先端部が挿し込まれて軸材における貫穴の貫長手方向の下部の縁部及び縦部分の縁部に係合される挿し込み角ほぞ部を有する挿し込み用貫を配置して、前記分割通し貫と挿し込み用貫を配置して、前記分割通し貫と挿し込み用貫とにより貫本体を構成し、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成した後、その閉鎖接合用孔に、係止凸部を前記重合面を中心として対称に有する木製接合部材を設けて、前記分割通し貫と挿し込み用貫を一体化して貫を構成し、前記貫と軸材とを、貫穴に先端部を配置する楔などの固定手段により固定するので、次のような効果が得られる。分割通し貫と挿し込み用貫とに分割しているため、分割通し貫を柱に最初に挿通配置した後、挿し込み用貫の先端部の挿し込み角ほぞ部を貫穴に挿し込むようにして挿し込み貫を設置することができ、しかも軸材間においては、分割通し貫と挿し込み用貫の板厚を厚くした分割通し貫と挿し込み貫を容易に配置することができ、しかも軸材における貫穴の下部及び縦部分の縁部に分割通し貫及び挿し込み用貫を係合させることができ、また、接合用溝が合わさることで閉鎖接合用孔内に、木製接合部材を設置することで、従来の場合よりも厚みが大きい貫を形成することができ、しかも貫を軸材の外側面に係合させて応力を伝達可能に一体化することができるので貫から軸材に応力を伝達することができ、従来の場合よりも強固な軸材と貫の接合構造とすることができる。また、木製接合部材により、分割通し貫と挿し込み用貫とを重合面に向って密着させることができると共に応力の伝達を図ることができる。また、木製接合部材により、分割通し貫と挿し込み用貫とを重合面に向って密着させることができると共に応力の伝達を図ることができる接合構造を容易に構築することができる等の効果が得られる。
【００２５】
第９発明の軸材と貫との接合方法によると、柱又は束からなる木製の軸材の貫穴に貫を配置すると共に楔などの固定手段により木製の貫を前記軸材に固定する軸材と貫の接合方法であって、軸材における貫穴の貫長手方向の両側下部の縁部及び両側縦部分の縁部に係合される凹部を有する分割通し貫を前記軸材の貫穴に貫通配置し、前記分割通し貫に重合すると共に、前記軸材の貫穴に先端部が挿し込まれて軸材における貫穴の貫長手方向の下部の縁部及び縦部分の縁部に係合される挿し込み角ほぞ部を有する挿し込み用貫を配置して、前記分割通し貫と挿し込み用貫を配置して、前記分割通し貫と挿し込み用貫とにより貫本体を構成し、前記分割通し貫と、前記分割通し貫に重合される挿し込み用貫とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成し、その閉鎖接合用孔に、係止凸部を前記重合面を中心として対称に有する木製接合部材を複数挿入配置して接合し、かつ前記各木製接合部材の背面側に楔用傾斜面を有し、少なくとも対向する一対の楔用傾斜面を有する楔式接合装置であって、前記各分割通し貫及び挿し込み用貫の溝長手方向に伸びる押圧用の楔式接合装置を設けて、前記分割通し貫と挿し込み用貫を一体化して貫を構成し、前記貫と軸材とを、貫穴に先端部を配置する楔などの固定手段により固定するので、次のような効果が得られる。分割通し貫と挿し込み用貫とに分割しているため、分割通し貫を柱に最初に挿通配置した後、挿し込み用貫の先端部の挿し込み角ほぞ部を貫穴に挿し込むようにして挿し込み貫を設置することができ、しかも軸材間においては、分割通し貫と挿し込み用貫の板厚を厚くした分割通し貫と挿し込み貫を容易に配置することができ、しかも軸材における貫穴の下部及び縦部分の縁部に分割通し貫及び挿し込み用貫を係合させることができ、また、接合用溝が合わさることで閉鎖接合用孔内に、木製接合部材を備えた楔式接合装置を挿入設置することで、従来の場合よりも厚みが大きい貫を形成することができ、しかも貫を軸材の外側面に係合させて応力を伝達可能に一体化することができるので、従来の場合よりも強固な軸材と貫の接合構造とすることができる。また、楔式接合装置により、分割通し貫と挿し込み用貫とを重合面に向って密着させることができると共に応力の伝達を図ることができる。また、楔式接合装置により、分割通し貫と挿し込み用貫とを重合面に向って密着させることができると共に応力の伝達を図ることができる接合構造を容易に構築することができる等の効果が得られる。
【００２６】
第１０発明の軸材と貫との接合方法によると、柱又は束からなる木製の軸材の貫穴に貫を配置すると共に楔などの固定手段により木製の貫を前記軸材に固定する軸材と貫の接合方法であって、軸材における貫穴の貫長手方向の両側下部の縁部及び両側縦部分の縁部に係合される凹部を有する分割通し貫を前記軸材の貫穴に貫通配置し、前記分割通し貫に重合すると共に、前記軸材の貫穴に先端部が挿し込まれて軸材における貫穴の貫長手方向の下部の縁部及び縦部分の縁部に係合される挿し込み角ほぞ部を有する壁板の一部とにより貫本体を構成し、前記分割通し貫と、前記分割通し貫に重合される壁板とには、接合用溝又は半分割接合用溝が設けられ、重合面を中心として対向する接合用溝相互により、又は重合面を中心として対向する一方の接合用溝と他方の２つの半分割接合用溝とにより、閉鎖接合用孔を間隔をおいて形成し、その閉鎖接合用孔に、係止凸部を前記重合面を中心として対称に有する木製接合部材を複数挿入配置して接合し、かつ前記各木製接合部材の背面側に楔用傾斜面を有し、少なくとも対向する一対の楔用傾斜面を有する楔式接合装置であって、前記分割通し貫及び壁板の溝長手方向に伸びる押圧用の楔式接合装置を設けて、前記分割通し貫と壁板を一体化して前記分割通し貫と壁板の一部とにより貫を構成し、前記貫と軸材とを、貫穴に配置した楔などの固定手段又は軸材と壁板との間に配置した楔などの固定手段により固定するので、下記のような効果が得られる。分割通し貫と壁板の一部とにより貫本体が形成されるようにしているため、分割通し貫を柱に最初に挿通配置した後、壁板の一部の先端部の挿し込み角ほぞ部を貫穴に挿し込むようにして壁板を設置することができ、しかも軸材間においては、分割通し貫と壁板の板厚を厚くした分割通し貫と壁板を容易に配置することができ、しかも軸材における貫穴の下部及び縦部分の縁部に分割通し貫及び壁板の一部を係合させることができ、また、接合用溝が合わさることで閉鎖接合用孔内に、木製接合部材を備えた楔式接合装置を挿入設置することで、従来の場合よりも厚みが大きい貫を形成することができ、しかも貫を軸材の外側面に係合させて応力を伝達可能に一体化することができるので、従来の場合よりも強固な軸材と貫の接合構造を容易に構築することができる。また、楔式接合装置により、分割通し貫と壁板とを重合面に向って密着させることができると共に応力の伝達を図ることができる。また、楔式接合装置により、分割通し貫と挿し込み用貫とを重合面に向って密着させることができると共に応力の伝達を図ることができる接合構造を容易に構築することができる等の効果が得られる。
【図面の簡単な説明】
【００２７】
【図１】本発明の第１実施形態の軸材と貫との接合構造を示すものであって、間隔をおいた複数柱の貫穴に亘って貫を組み立てて配置すると共に、柱と貫を一体化した状態を示し、（ａ）は正面図、（ｂ）はａ−ａ線断面図である。
【図２】間隔をおいた柱に分割通し貫を配置する場合の説明図である。
【図３】（ａ）は間隔をおいて立設された柱にぞれぞれ貫を挿入して設置する場合の説明図、（ｂ）は図１のｂ−ｂ線断面である。
【図４】（ａ）は図１（ａ）の一部を拡大して示す正面図、（ｂ）は横断平面図、（ｃ）は（ａ）のａ−ａ線断面図である。
【図５】（ａ）（ｃ）は閉鎖接合用孔に一対の接合用部材を圧入して、部材相互を接合した状態を示す横断平面図、（ｂ）（ｄ）は部材相互の接合用溝を対称に合せて閉鎖接合用孔を形成した状態を示す横断平面図と、２つの部材による半分割接合用溝による接合用溝と一つの部材の接合用溝とを対称に合せて閉鎖接合用孔を形成した状態を示す横断平面図である。
【図６】（ａ）は一対の木製接合部材による楔式接合装置をその幅を狭めた状態で閉鎖接合用孔内に挿入して拡幅する直前の状態を示す縦断正面図、（ｂ）は横断平面図である。
【図７】（ａ）は一対の木製接合部材を拡幅して閉鎖接合用孔の内周面に圧着した状態を示す縦断正面図、（ｂ）は横断平面図である。
【図８】（ａ)は複数の柱材からなる軸材の貫穴に亘って貫を設置した状態を示す正面図、（ｂ）は（ａ）の横断平面図である。
【図９】（ａ)は複数の柱材からなる軸材の貫穴に亘って貫を設置した状態を示す一部縦断正面図、（ｂ）は貫穴内の楔付近で切断して示す横断平面図である。
【図１０】本発明の軸材と貫との接合構造を腰壁に適用した形態を示す正面図である。
【図１１】（ａ）は図１０のａ−ａ線断面図、（ｂ）は（ａ）のｂ−ｂ線断面図、（ｃ）は（ａ）のｃ−ｃ線断面図、（ｄ）は（ａ）のｄ−ｄ線断面図である。
【図１２】本発明の軸材と貫との接合構造を耐火・耐震壁に適用した形態を示す正面図である。
【図１３】（ａ）は図１２のａ−ａ線断面図、（ｂ）は（ａ）のａ−ａ線断面図、（ｃ）は（ａ）のｂ−ｂ線断面図である。
【図１４】（ａ）は、傾斜した貫穴を設けた柱からなる軸材と傾斜配置された貫との接合構造を示す正面図、（ｂ）は（ａ）の横断平面図である。
【図１５】（ａ）は、図１４に示す傾斜した貫穴を設けた柱からなる軸材と傾斜配置された貫との接合構造を示す一部縦断正面図、（ｂ）は（ａ）のａ−ａ線断面図である。
【図１６】本発明の軸材と貫との接合構造を面格子に適用した形態を示す一部切り欠き正面図である。
【図１７】図１６に示す面格子の前面側の挿し込み用貫を取り除いて示す一部縦断正面である。
【図１８】図１６のａ−ａ線断面図である。
【図１９】（ａ）（ｂ）（ｃ）は、図１８のａ−ａ線断面図と、ｂ−ｂ線断面図と、ｃ−ｃ線断面図である。
【図２０】他の形態の楔式接合装置及びそれを使用した断面示すものであって、（ａ）は傾斜面及び境界段差部を有する複数の楔片により部材を接合した状態を示す断面図、（ｂ）は複数の木製接合部材を背中合わせに配置した状態の楔式接合装置を取り出して示す平断面図、（ｃ）は木製接合部材を取り出して示す正面断面図で（ｂ）図の矢視端面図である。
【図２１】貫の幅寸法が大きくない場合に、閉鎖接合用孔に一本の木製接合部材を設置する形態を示すものであって、木製接合部材を閉鎖接合用孔の内周面に圧入して圧着した状態を示す縦断正面図、（ｂ）は横断平面図である。
【図２２】（ａ）は従来の軸材と貫の接合構造を示す斜視図、（ｂ）はその縦断正面図である。
【図２３】（ａ）は格子戸の正面図、（ｂ）は縦方向の格子子の貫穴に組合せ貫を挿入する直前の状態を示す斜視図、（ｃ）は縦方向の格子子を貫穴に設置した後、後部分割貫を貫穴に挿入設置する直前の状態を示す斜視図である。
【発明を実施するための形態】
【００２８】
次に、本発明を図示の実施形態に基づいて詳細に説明する。
【００２９】
本発明の軸材と貫との接合構造における主として共通している構造について、最初に説明し、個々の実施形態においては、相違している部分を主として説明する。
【００３０】
本発明において使用される部材は、木製柱、木製梁、木製貫、木製厚板材であるので、以下では、単に主として、柱、梁、貫、厚板等で記載する。また、本発明において使用する分割通し貫１又は挿し込み用貫２或いは小幅壁板としては、板厚が２５〜６０ｍｍ以上、このましくは、前後の部材を一体化した場合の板厚で、その板厚が耐火性を確保するために少なくとも６０ｍｍであると好ましく、貫又は厚板の幅寸法が１００ｍｍ〜３００ｍｍに加工（製品化）された厚板部材が使用される。これらの部材は、予め工場等においてプレカットされた部材を使用するのが好ましい。
【００３１】
先ず、本発明において用いられる一実施形態の貫３の構造について、図１〜図７を参照して説明する。本発明において用いる貫３は、貫の板厚方向に２分割されていると共に部材長手方向に複数に分割された部材を組み合わせて接合手段により接合されて構成されている。貫板厚方向の前面側又は後面側に配置される長尺の分割通し貫１と、前記分割通し貫１に重合されて接合される挿し込み用貫２と、これら両者を接合する木製接合部材４を備えた楔式接合装置５とを備えている。
【００３２】
前記分割通し貫１は、前面側又は後面側に配置され、柱からなる軸材６の貫穴８に挿通される部材で、前記挿し込み用貫２に重合される内側面に、部材長手方向に一定のピッチで間隔をおいて複数の接合用溝７を備えている。前記接合用溝７は、図４及び図５に示すように、部材幅方向の全幅に渡って連続して設けられている。また、前記の接合用溝７が、分割通し貫１の長手方向に間隔をおいて平行に設けられ、挿し込み用貫２にも、前記分割通し貫１側の接合用溝７に対応する位置に配置される場合には、一つ又は複数設けられている。分割通し貫１における接合用溝７の溝幅全体に亘って挿し込み用貫２が配置される場合には、挿し込み用貫２側には同様に接合用溝７を備え、分割通し貫１における接合用溝７の溝幅の１／２に亘って挿し込み用貫２の端部が配置される場合には、挿し込み用貫２側の端部には、接合用溝７をその溝幅の１／２に分割された形態の半分割接合用溝２０を備えている。貫３の本体は、長さ方向及び厚さ方向に分割されており、複数の分割通し貫１と複数の挿し込み用貫２とを長さ方向及び厚さ方向に集合されて構成され、柱からなる軸材６間においては、柱楔式接合装置５により一体化されて貫３が構成される。挿し込み用貫２の先端部は柱からなる軸材６の貫穴８に挿し込まれるため、貫穴８の部分で、板厚方向の移動が拘束される貫３とされている。
【００３３】
前記の各接合用溝７は、開口部側の幅寸法よりも溝奥部側の幅寸法が大きい接合用溝７とされている。好ましくは、図示の形態のように蟻溝とされている。
【００３４】
第１実施形態を含む各実施形態では、接合用溝７は、溝幅方向（図５（ａ）〜（ｄ）の左右方向）に直角な中心軸線に対して左右対称形状の形態とされ、分割通し貫１及び挿し込み用貫２が接合面を中心にして対称となるように重合されて各接合用溝７が対称に合わさることで形成される閉鎖接合用孔９も、溝幅方向に直角な中心軸線に対して左右対称形状の断面形態とされている。
【００３５】
前記接合用溝７の溝幅方向の一端側及び他端側は対称形状とされている。すなわち、溝幅方向の一端及び他端の溝内側側壁面が、重合面１１に対して垂直な溝内側垂直壁面１３とこれに接続する係止用溝１４及び溝底部を備えた溝内側側壁面とされている。前記の係止用溝１４が重合される内側面から離れて形成されていることで、接合用溝７の溝幅方向の両側には、前記係止用溝１４を形成するための係止凸部２９が対向して突出するように形成されている。前記係止凸部２９における重合面１１より側の傾斜面の傾斜角は、例えば、例えば、５°〜２０°程度（例えば、５°、１０°、１５°、２０°）でよく、この角度は小さい角度であるほうが、係合凸部２９に作用する曲げ力が小さくなるので望ましい。他の実施形態でも同様である。前記係止凸部２９の傾斜角は、楔式接合装置５における木製接合部材４側の対向する係止凸部１２の内側傾斜面の傾斜角と同じに設定されている。
【００３６】
前記の接合用溝７は、分割通し貫１と挿し込み用貫２が直列に当接して配置され、分割通し貫１の長手方向の端部の半分割接合用溝２０と挿し込み用貫２の後端部の半分割接合用溝２０が対称に合わさることで形成される場合もある。
【００３７】
前記接合用溝７は、部材相互の半分割接合用溝２０が直列に対称に合わさることで形成される場合もあり、したがって、閉鎖接合用孔９は、２つの部材の半分割接合用溝２０が直列に対称に合わさることで形成される接合用溝７と、その接合用溝７と重合面１１を中心に対称な反対側の部材の接合用溝７とが合わさることで形成される。
【００３８】
また、分割通し貫１の長手方向の両端部には、前記接合用溝７を溝幅方向の中央で半分に分割した形態の半分割接合用溝２０を備えている。すなわち、溝幅方向の基端の溝内側壁面が、重合面１１に対して垂直な溝内側垂直壁面１３とこれに接続する係止用溝１４及び重合面１１に平行な溝底部を備えた半分割接合用溝２０とされている。
【００３９】
図２及び図３に示すように、前記貫穴に先端部が挿し込まれる挿し込み用貫２は、分割通し貫１の端部と軸材６との間の寸法が長い場合には、挿し込み用貫２の先端部に挿し込み角ほぞ部１９を備え、後端部に半分割接合用溝２０を備え、中間部に接合用溝７を備えている形態とされている。また、分割通し貫１と軸材６までの距離が短い場合には、先端部に挿し込み角ほぞ部１９を備え、後端部に半分割接合用溝２０を備えた長さが短い形態の挿し込み用貫２とされている。
【００４０】
前記挿し込み角ほぞ部１９は、図示の形態では、先端部の下面全体に設けられた切欠き段部とこれに接続する先端部外側面に設けられた切欠き段部とを備え、先端部が同じ角形断面のほぞ部とされている。挿し込み用貫２の後端部には、分割通し貫１側の端部側の前記半分割接合用溝２０と対称配置の半分割接合用溝２０を備えている。
【００４１】
そのため、直列に配置される分割通し貫１の端部の半分割接合用溝２０と、挿し込み用貫２の後端部の半分割接合用溝２０とにより、接合用溝７を形成することができ、その接合用溝７が、千鳥状に配置される他方の分割通し貫１における中間部の接合用溝７に、重合面１１を境に、対称に配置されることで、閉鎖接合用孔９を形成することができる。前記の閉鎖接合用孔９に一対又は複数の木製接合部材を備えた楔式接合装置５を挿入設置することで、分割通し貫相互を一体に接合したり、２つの分割通し貫１と挿し込み用貫２の３部材を一体に接合することができる。分割通し貫１と挿し込み用貫２の重合される側面は、例えば、反り防止用の溝を除いて、平坦面とされる。
【００４２】
前記接合用溝７或いは半分割接合用溝２０が対称に合わさることにより形成される接合用溝７は、分割通し貫１及び挿し込み用貫２の長手方向に直角に連続する接合用溝としてもよく、部材の長手方向に傾斜した接合用溝としてもよい。前記の傾斜した接合用溝７の部材長手方向に対する傾斜角は、例えば、１５°、３０°、４５°等の傾斜角度とすればよい。したがって、接合用溝７が重合面を境に対称に形成される閉鎖接合用孔９も同様に部材長手方向に傾斜した形態としてもよい。
【００４３】
前記分割通し貫１及び挿し込み用貫２は、断面角形、断面長方形の平板状の木製部材であり、部材長手方向に帯状の部材とされている。
【００４４】
各分割通し貫１及び挿し込み用貫２の前記接合用溝７は、分割通し貫１及び挿し込み用貫２相互の重合される内側面、換言すると、部材相互の重合面を中心として対称となるように予め設けられて、図１及び図２に示すように、対向する前記接合用溝７による閉鎖接合用孔９が幅方向全長に渡って連続して貫通するように形成されている。
【００４５】
分割通し貫１の中間部下面側には、下方に開口する凹部１５が板厚方向に連続するように設けられ、前記下方に開口する凹部１５とこれに接続する側方に開口する外側面凹部１６とを備えた縦断面でＬ形の凹部１７が設けられている。前記下方に開口する凹部１５と、外側面凹部１６の貫軸方向の幅は、柱からなる軸材６の幅寸法と合致するように形成されていることで、分割通し貫１の中間部の凹部１７を軸材６の貫穴８に挿入設置した状態で、凹部１７の両側壁面を、軸材６における貫穴８の縁部の外側面に係合させることができる。
【００４６】
また、分割通し貫１の一端部又は両端部には、前記接合用溝７を溝巾方向に１／２分割して形態の半分割接合用溝２０が形成されている。同様に挿し込み用貫２の挿し込み側とは反対側の端部には、半分割接合用溝２０が形成されている。なお、分割通し貫１及び挿し込み用貫２の端部が、柱の貫穴内に配置される場合、或いは部材端部を接合する必要のない場合には、前記の半分割接合用溝２０を設ける必要はない。
【００４７】
分割通し貫１の部材長手方向の端部と、これに接続する挿し込み用貫２の部材長手方向の端部とは、貫厚さ方向に隣接する分割通し貫１の中間部に位置する接合用溝７に配置されていることで、分割通し貫１と挿し込み用貫２を柱に配置して、木製接合部材等の楔式接合装置５により一体化した場合に、部材長手方向で連続して一体化した部材とすることが可能にされている。
【００４８】
分割通し貫１及び挿し込み用貫２の接合用溝７相互、又は２つの半分割接合用溝２０と接合用溝７が重合面を中心にして対向して合わさることにより閉鎖接合用孔９を形成している。各接合用溝７及び閉鎖接合用孔９としては、図５に示すような形態以外にも、各種の形態が考えられるが、木製接合部材を閉鎖接合用孔９にセットした場合に、部材相互を重合面に向って押圧して、両者を密着させるための傾斜面を備えた形態であるのが望ましい。また、木製接合部材を閉鎖接合用孔９にセットした場合に、部材長手方向に直角な支承面を備えた形態であると、部材長手方向の応力を確実に伝達することができるので望ましい。柱からなる軸材６間では、貫厚さ方向の片側であって、分割通し貫１のみ又は分割通し貫１と挿し込み用貫２の２部材とすると、部材の一端部又は部材の中間部が柱からなる軸材６に支承されるようになるため、貫本体の組み立てが容易になると共に、楔接合装置５の配置作業、圧入作業が容易になり、貫３の組み立てが容易になる。なお、図示の形態は、分割通し貫１又は挿し込み用貫２に設ける接合用溝７のピッチは同じピッチとなるようにされている。
【００４９】
前記のような閉鎖接合用孔９にセットされ、分割通し貫１と挿し込み用貫２とを一体化する接合手段としては、例えば、図６及び図７に示すように、溝長手方向に伸びる一対の木製接合部材４を備えた楔式接合装置５が用いられている。
【００５０】
前記木製接合部材４は、前記重合面を中心として、係止凸部１２を間隔をおいて対称に有し、間隔をおいて対向する係止凸部１２の対向する内側面は、重合面側に向って基端側が接近するように傾斜する傾斜面とされている。前記係止凸部１２の傾斜面の傾斜角度は、分割通し貫１又は挿し込み用貫２側の接合用溝７又は半分割接合用溝２０における係止凸部２９の傾斜角度と同じ角度に設定されている。
【００５１】
左右一対の木製接合部材４により、溝幅方向に拡幅可能にされており、各左右の木製接合部材４の背面側が溝長手方向に傾斜する傾斜面１８とされ、一方が溝長手方向に漸次板厚が厚くなるような傾斜面１８、他方が溝長手方向に漸次板厚が薄くなるような傾斜面１８とされ、傾斜面相互を重合させ、互いの板厚が厚くなるように圧入することで、両木製接合部材４を溝幅方向に移動させて、各木製接合部材４を、分割通し貫１又は挿し込み用貫２の接合用溝７の溝内側垂直壁面１３を押圧すると共に重合面１１に向って分割通し貫１と挿し込み用貫２を押圧した状態で接合し、一体化している接合構造とされている。
【００５２】
図６には、木製接合部材４相互による溝幅方向の寸法を小さくした状態で、閉鎖接合用孔９に一対の木製接合部材４を挿入配置した状態が示され、図７には、各木製接合部材４を圧入して、溝幅方向に移動させて、各木製接合部材４を閉鎖接合用孔９の内側面に押圧させた状態が示されている。図６に示す形態では、木製接合部材４相互の当接面に傾斜面１８を備えた形態とすることで、木製接合部材４相互の背面相互で拡幅可能にされた楔式接合装置５を形成した形態である。このような楔式接合装置であると、木製接合部材４を溝幅方向に平行移動させて、溝内側垂直壁面１３に圧着させることができる。なお、木製接合部材４の板厚寸法は、接合用溝７の深さ寸法の略２倍とされている。
【００５３】
図示の形態では、閉鎖接合用孔９に一対の木製接合部材４を挿入して巾を広げることで、閉鎖接合用孔９の前記溝内側垂直壁面１３に圧着すると共に、両部材の各接合用溝７における係止用溝１４の傾斜面を利用して重合面側に向って各木製接合部材４により押圧して接近させることで、相互の重合面近傍で挟むようにして接合し一体化している。各木製接合部材４相互が重合される内側面である背面側を楔用の傾斜面１８とすることで、各木製接合部材４自身に傾斜面１８を設ける形態としている。前記のような各木製接合部材４を各閉鎖接合用孔９にセットすることで、各閉鎖接合用孔９を略埋め込み、貫としての断面欠損がほとんど生じないようにしている。なお、前記の実施形態及び後記の実施形態において、楔式接合装置５に代えて、貫３の幅寸法（図１（ａ）における上下方向の幅寸法）が、例えば、１０ｃｍ〜２０ｃｍと短い場合には、図２２に示すように、前記の各閉鎖接合用孔９に、平面視で、重合面１１を中心として、対称に係止凸部１２を有すると共に左右対称に係止凸部１２を有する一本の木製接合部材４ａを圧入することにより、分割通し貫１と挿し込み用貫２とを接合するようにしてもよい。この場合、平面視で、前記の一本の木製接合部材４ａの左右の係止凸部１２間の寸法を、閉鎖接合用孔９における係止溝１４間の寸法より僅かに大きくしたり、又は、左右方向の一方の前後の係止凸部１２間の谷部と、左右方向の他方の前後の係止凸部１２間の谷部との間の寸法を、閉鎖接合用孔９における溝内側垂直壁面１３間の寸法よりも僅かに大きくすることで、一本の木製接合部材４ａを圧入するようにしてもよい。このような形態としても、木製接合部材４ａにより、分割通し貫と挿し込み用貫とを重合面に向って密着させることができると共に応力の伝達を図ることができる。なお、図示を省略するが、前記の木製接合部材４ａの先端部を、漸次先細状にしたガイド部を形成するようにしてもよい。
【００５４】
また、分割通し貫１における部材長手方向の中間部の外側面には、柱側の貫穴８に対応する位置に、部材巾方向（上下方向）に連続し、上下に貫通し、側方に開口した縦溝からなる外側面凹部１６が設けられ、また前記外側面凹部１６に接続する下方に開口する下面側凹部１５が設けられ、前記外側面凹部１６と下面側凹部１５とは部材軸方向で同じ幅とされて、縦断面でＬ形の凹部１７が形成されている。各外側面凹部１６の部材軸方向の両側壁面は、柱からなる軸材６の両側外面に合致するように、柱からなる軸材６の巾と同様に設定されている。
【００５５】
次に、前記のような分割通し貫１及び挿し込み用貫２を備えた貫３を設置する場合について、図３を参照しながら説明する。例えば、柱からなる軸材６が土台或いは梁上に立設された状態で、図３に示すように、左端部に位置する分割通し貫１を、実線で示すように、必要に応じ、適宜水平周りに若干傾斜させて、柱側の貫穴８に挿入する。次いで、左端に位置する分割通し貫１を点線で示すように、分割通し貫１を柱からなる軸材６の貫穴前面側に寄せて、分割通し貫１の外側面凹部１６を軸材６の貫穴前面側の軸材部分に嵌合配置すると共に、下方に落とし込むように移動させて、分割通し貫１の中間部下面側の下方に開口する凹部１５を、柱からなる軸材側の貫穴８の下面側に嵌合して、分割通し貫１の前記外側面凹部１６及び下方に開口する凹部１５の左右両側壁面を、柱からなる軸材６の貫穴８の縁部の左右両外側面に係合するように嵌合する。
【００５６】
前記のように左端側の分割通し貫１を配設した後、図３（ａ）に示すように、左端の柱からなる軸材６に隣接する第２番目の中央部の軸材６の貫穴８に、実線で示すように、第２番目の分割通し貫１を配置する。第２番目の分割通し貫１は、第１番目の分割通し貫１に対して、貫の前後方向の板厚をずらして、実線で示すように傾斜させて貫穴８に挿入配置することで、第１番目の分割通し貫１に対して位置をずらして、第２番目の軸材６の前後方向奥側に千鳥状に配置した後、適宜、点線で示すように移動又は回動させて、第２番目の分割通し貫１の外側面凹部１６を、第２番目の軸材６に貫穴８の奥側に嵌合すると共に、下方に落し込んで、下面側の凹部１５を貫穴下面側に嵌合させ、第１の分割通し貫１と、第２の分割通し貫１の内側面相互を重合させる。第３番目以降の分割通し貫１も前記と同様に千鳥状に配置し、以下同様に、ｎ番目の分割通し貫１をｎ番目の軸材６における貫穴８に挿入して嵌合させ、ｎ−１番目の分割通し貫１に重合させることで、各分割通し貫１を配置することができる。前記のように、本発明では、貫穴の奥行き方向の幅が分割通し貫１の板厚寸法よりも大きいために、貫穴８に対して、分割通し貫１を傾斜配置することもできる。尤も、先に挿入配置されているｎ−１番目の分割通し貫１に対して、ｎ番目の分割通し貫１が干渉しないように挿入可能な場合には、傾斜させなくてもよい。分割通し貫１の中間部の凹部１７を有する部分の部材厚と、挿し込み用貫２の挿し込み角ほぞ部１９の板厚寸法は、ほぼ貫穴８の前後方向の幅寸法の１／２とされていることで、貫穴８に分割通し貫１と挿し込み用貫２が設置された状態で、がたが生じないようにされている。
【００５７】
前記のようにして、各分割通し貫１を千鳥状に配置する。また、図示の形態では、分割通し貫１の長さ寸法は、柱間の長さ寸法の１．１倍〜２倍以下、例えば、１．５倍前後の長さ寸法とすればよい。尤も、分割通し貫１の長さ寸法としては、より長い寸法としてもよく、例えば、間隔をおいた２本の柱等の複数の柱の貫穴８に渡って挿通配置するようにしてもよい。
【００５８】
前記のように前後の各分割通し貫１を千鳥状に配置した後、前面側の分割通し貫１に対しては後面側に挿し込み用貫２を、後面側の分割通し貫１に対しては前面側に挿し込み用貫２を重合させるように配置すると共に、挿し込み用貫２の先端部を貫穴８に挿入配置する。分割通し貫１の部材軸方向の端部と軸材６とに亘って、先端部に挿し込み角ほぞ部１９を有すると共に後端部に半分割接合用溝２０を有する挿し込み用貫２、又はさらに中間部に接合用溝７を有する所定の長さの挿し込み用貫２が貫穴８に挿し込まれて設置される。
このように分割通し貫１及び挿し込み用貫２の各部材を配置することで、各分割通し貫１と挿し込み用貫２の接合用溝７又は半分割接合用溝２０が対称に合わさることにより形成される接合用溝７と他方の分割通し貫１の接合用溝７が重合面を対称に配置されることで、閉鎖接合用孔９を形成している。
【００５９】
前記のようにして閉鎖接合用孔９を形成した後、各閉鎖接合用孔９に一対の木製接合部材４を備えた楔式接合装置５を挿入配置すると共に、一対の木製接合部材４を、これらの傾斜面１８を利用して幅を広げることで、閉鎖接合用孔９の内側面に、各木製接合部材を圧着させ、各分割通し貫１と挿し込み用貫２の一体化する。前記の木製接合部材４の設置にあたっては、適宜、挿し込み用貫２が分割通し貫１に対してずれないように適宜の仮保持手段により保持する。
【００６０】
前記のように、分割通し貫１と挿し込み用貫２を一体化して貫３を形成した後、又は部材長手方向の一部において貫３が形成された後、図１及び図４に示すように、貫穴８に、木製楔１０等の固定手段により、貫３を柱からなる軸材６に固定する。
【００６１】
本発明における貫３の前後方向の厚みは、柱間においては、貫穴８の前後方向の幅寸法よりも大きく、貫３側が柱からなる軸材６の外側面に係合していることから、貫３側と軸材６の外側面との間で応力を伝達可能に一体化されており、従来の場合よりも、軸材間において一体化された貫の厚み寸法を厚くして貫３の剛性を大きくすることができるため、その結果として、軸材６と貫３の接合位置とを従来の場合よりも剛性の高い接合構造とすることができる。
【００６２】
前記実施形態の場合に、図８及び図９に示すように、柱材６ａを複数本（図示の場合には３本、２本以上）並列させ、各柱材６ａの貫穴８を直列に連続するような複合一体化される軸材６とする場合には、複合化された軸材６を構成している各柱材６ａの貫穴８に亘って嵌合可能長さの下面側の凹部１５及び外側面凹部１６を備えた分割通し貫１を用いる。また、挿し込み用貫２における挿し込み角ほぞ部１９側の先端部を長くすることで、２つの柱材６ａの貫穴８に亘って配置し、軸材６の貫穴８と貫３との間の隙間に、一対の木製楔１０を圧入することで、軸材６と、貫３とを応力を伝達可能に一体に接合することができる。また、両端部に位置する柱材６ａの貫穴８を段付き貫穴８とすることで、分割通し貫１又は挿し込み用貫２の中間部の厚板部を柱材６ａ内の側部及び下部の段部４２に当接させている。
【００６３】
図１０及び図１１は、本発明の第２実施形態を示すものであって、この形態では、貫３を腰壁２１に適用した形態である。
【００６４】
土台２２及び梁２３に縦孔又は縦貫通孔２４が設けられていると共に前記縦孔又は縦貫通孔２４に接続する角形横孔２５が設けられ、各柱からなる軸材６の両端部のほぞ２６にも同様に角形横孔が設けられ、各柱からなる軸材６の両端部のほぞ２６がそれぞれ土台２２又は梁２３に嵌合されて、込栓２７により固定されている。この形態では、下から上に壁板を落とし込み又は横方向に挿し込んで組み立てるため、梁２３は最後に設置されて、込栓２７により固定される。
【００６５】
土台２２の上面と、各柱からなる軸材６の貫軸方向の左右両側面には、柱幅方向の中央部には、貫穴８よりも幅が若干広く上下方向に延長する溝２８が形成され、また、前記貫穴８に接続するように溝２８が設けられている。
【００６６】
柱からなる軸材６の溝２８に渡って、１枚ものの前面側の複数の小幅厚板が落とし込みにより設置され、その上に分割通し貫１が設置され、さらにその上に１枚ものの複数枚の小幅厚板が落とし込まれて上方に向って積み重ねられている。また、後面側にも、柱間で１枚もの小幅厚板、又は貫穴８に先端部を挿し込まれる場合には、分割小幅厚板が挿し込まれて上方に向って積み重ねられている。
【００６７】
前記の小幅厚板或いは分割小幅厚板には、分割通し貫１と挿し込み用貫２と同様に、接合用溝７又は半分割接合用溝７が形成されている。そのため、前面側の分割通し貫１又は前面側の小幅厚板３０の背面の接合用溝７と、後面側の小幅厚板３１の前面の接合用溝７とにより、閉鎖接合用孔９が左右方向に間隔をおいて複数形成され、また、各閉鎖接合用孔９に一対の木製接合部材４からなる楔式接合装置５が設置されて一体化されている。閉鎖接合用孔９の長さ寸法が長くなる場合には、例えば、図２０（ｂ）（ｃ）に示すように、楔式接合装置５を設置するようにしてもよい。この場合の楔式接合装置５は、傾斜面１８及び境界段差部３７が、交互に連続するように、木製接合部材としての楔片３８を直列に設置した装置で、このような楔式接合装置５でも対応可能である。傾斜面１８及び境界段差部３７の形態を除けば、前記の楔片３８の形態は前記実施形態と同様であるので、同様な部分には、同様な符号を付している。図２０（ａ）には、図２０（ｂ）（ｃ）に示す楔式接合装置５を閉鎖接合用孔９に設置した状態の断面が示されている。
【００６８】
さらに、分割通し貫１の上面と貫穴８との間には、楔式接合装置が設置されるか、又は図示のように、最上位の前面側の小幅厚板３０及び後面側の小幅厚板３１の端部上面には、柱からなる軸材６側の横孔に圧入された木製楔３９が設置されることで、分割通し貫１の上動が防止されて、軸材６及び土台あるいは梁に固定された腰壁２１が形成されている。
【００６９】
この形態では、後面側の小幅厚板３１で、貫穴８に先端部が挿し込まれる部材は、部分的に後面側の挿し込み用貫を兼ねた部材となっている。前記実施形態のような腰壁２１であると、地震時に水平力が作用した場合に、柱からなる軸材６と腰壁２１が一体となっているため、柱からなる軸材６の傾倒を防止し、腰壁２１がない場合に比べて、土台側の込栓２７の応力負担を軽減することができ、耐震性能を向上させることができる。
この形態では、土台２２又は梁上に、柱からなる軸材６を立設した後、分割通し貫１より下側の前面側の小幅厚板３０を設置した後、分割通し貫１を各柱からなる軸材６の貫穴８に亘って挿通配置して、前記前面側の小幅厚板３０上に設置し、これに併行して後面側の小幅厚板３１又は、分割小幅厚板３２を上部に向って設置し、各柱からなる軸材６の上端部のほぞ２６を、梁２３のを縦孔又は縦貫通孔２４に嵌合したのち、込栓２７を圧入することで、組み立てることができる。
【００７０】
図１２及び図１３は、本発明の第３実施形態を示すものであって、この形態では、貫３を、耐火・耐震壁３３に組み込んだ形態である。換言すると、軸材６間と、土台２２と梁２３間又は梁２３間により囲まれる部分に、貫３と壁面材を設置して耐火・耐震壁３３を構成した形態である。この形態では、土台２２の上面と、梁２３の下面と、各柱からなる軸材６の貫軸方向の左右両側面とには、前後方向の貫穴８の幅寸法よりも幅が若干広い溝２８が形成されている。
【００７１】
前記実施形態の腰壁２１の場合の部材と同様な部材を用い、腰壁２１の場合よりもさらに上方に小幅厚板を積み重ねると共に分割通し貫１を配置した形態である。より具体的には、前面側に、前面側の小幅厚板３０を上方に向って複数枚設置すると共に、上部側の分割通し貫１を前記と同様に配設し、さらにその上に複数枚の小幅厚板３０を積み重ねて前部壁面材３４を形成し、後面側に、後面側の小幅厚板３１を上方に向って積み重ねて、後部壁面材３５を形成している。各小幅厚板又は分割通し貫１の接合用溝７が直列に接続されることで形成された前部壁面材３４の接合用溝７と、各小幅厚板の接合用溝７が直列に接続されることにより形成された後部壁面材３５の接合用溝７とにより形成される上下方向に連続する閉鎖接合用孔９に、上から一対の木製接合部材４を備えた楔式接合装置５が挿入配置されると共に溝幅方向に拡幅されて圧着されて、分割通し貫１を含む前部壁面材３４と後部壁面材３５とが一体化されている。
【００７２】
また、隣り合う柱からなる軸材６に亘って、梁２３が載置されると共に、軸材６のほぞ２６が、梁２３の縦孔又は縦貫通孔２４に挿し込まれると共に、梁２３の下面側の溝２８に、前部壁面材３４と後部壁面材３５の上端部が嵌合され、その状態で、柱のほぞ２６と梁の角形横孔２５とに亘って、込栓２７が圧入されて固定されて、軸材６及び梁２３に囲まれた部分に、耐火・耐震壁３３が形成されている。
【００７３】
図１４及図１５に示す形態は、本発明の第４実施形態が示されている。この形態では、各柱からなる軸材６における高さの異なる位置に中心軸線を同じにする内側上部の下面が傾斜した傾斜下面を備えた貫穴８を設け、各貫穴８に渡って長尺の分割通し貫１を挿通配置し、前記長尺の分割通し貫１に短尺の挿し込み用貫２を重合するように配置すると共に、各短尺の挿し込み用貫２が直列に合わせることで、軸材６側面間の寸法よりも若干大きくされ、長尺の分割通し貫１と、短尺の挿し込み用貫２の接合用溝７又は２つの半分割接合用溝２０による接合用溝により形成される閉鎖接合用孔９に、木製接合部材４を備えた楔式接合装置５が設置されて、長尺の分割通し貫１と短尺の挿し込み用貫２相互が一体に接合された貫３とされている。
【００７４】
前記の第４実施形態では、軸材６側に設けられた貫穴８は、貫穴内の底部上面の形態が平坦面とされ、貫穴内の上部の下面は傾斜面とされていると共に、貫３の傾斜配置角と同様な傾斜角とされている。また、長尺の分割通し貫１の中間部及び短尺の挿し込み用貫２の端部には、軸材６に接合される部分に、これらの下面側に、ほぼ９０°のＶ字状切欠き凹部３６が設けられ、前記Ｖ字状切欠き凹部３６における水平方向の下面は、貫穴８の下部上面に載置され、前記Ｖ字状切欠き凹部３６における上下方向の側面は、柱からなる軸材６の外側面に係合された状態で、貫３上部と各貫穴８との間に上部側から木製楔１０が圧入されて、柱からなる軸材６と貫３は一体化されている。
【００７５】
前記短尺の分割通し貫１におけるＶ字状切欠き凹部３６の下面の部材軸方向の長さは、短くされて、貫穴８に挿入可能にされている。図示の形態では、柱からなる軸材６の幅寸法の１／２よりも若干短い長さ寸法とされている。
【００７６】
このような形態では、貫穴８内の寸法で上下方向の最も近い距離よりも、分割通し貫１の上下方向の幅寸法が小さいことで、分割通し貫１を貫穴８に挿通配置することができる。また、隣り合う柱側面間の寸法よりも若干長い寸法の短尺の分割通し貫１の部材軸方向の端部は、傾斜配置された状態で、垂直面となるように切断されていることで、一方の挿し込み角ほぞ部１９を、一方の柱からなる軸材６の貫穴８内に、前記長尺の分割通し貫１に重合するように配置した状態で他方の端部を、他方の柱からなる軸材６の貫穴８に上側から挿入配置することができる。
【００７７】
また、前記第４実施形態では、土台２２及び梁２３に縦孔又は縦貫通孔２４が設けられていると共に前記前記縦孔又は縦貫通孔２４に接続する角形横孔２５が設けられ、各柱からなる軸材６の両端部のほぞ２６にも同様に角形横孔が設けられ、各柱からなる軸材６の両端部のほぞ２６がそれぞれ土台２２又は梁２３に嵌合されて、込栓２７により固定されている。
【００７８】
前記第４実施形態の場合には、図１５（ａ）において、左右方向の水平力が梁２３に作用した場合には、柱からなる軸材６が時計方向（右回り）或いは反時計方向に回転しようとした場合に、時計方向の回転に対しては、貫穴８内の楔を介して貫３が貫穴８の上面に係合することにより抵抗し、柱からなる軸材６が反時計方向に回転しようとした場合に、貫３が前記柱からなる軸材６の外側面に係合していることにより抵抗することができる。
【００７９】
前記第３実施形態の場合には、長尺の分割通し貫１と短尺の分割通し貫１を接合している木製接合部材４は、その上下両端部が長尺の分割通し貫１と短尺の分割通し貫１から若干突出しているが、他の部材と干渉する場合には、長尺の分割通し貫１と短尺の分割通し貫１から突出しないように切除される。
【００８０】
図１６〜図１９には、本発明の第５実施形態が示されている。この形態では、複数の柱からなる軸材６が間隔をおいて同じ垂直面状に立設され、各柱に、貫穴８が上下方向に間隔をおいて複数設けられ、隣り合う柱の各貫穴８は、同じ高さ位置に設けられている。間隔をおいて隣り合う前記軸材６の各同じ高さ位置の貫穴８に亘って、長尺の分割通し貫１が挿通配置されていると共に、前記長尺の分割通し貫１の裏面に重合するように短尺の挿し込み用貫２が配置され、前記短尺の挿し込み用貫２の先端部の挿し込み角ほぞ部１９が、柱側の貫穴８に挿し込まれ、長尺の分割通し貫１と短尺の挿し込み用貫２とは、木製接合部材４を備えた楔式接合装置５により接合されている。また、この形態では、分割通し貫１の両端部に角ほぞ部１９が設けられ、分割通し貫１を各軸材６の貫穴８内に亘って挿入配置した後、前後方向に移動させることで、角ほぞ部１９を軸材６の貫穴８の縁部に係合させている。この形態では、小間隔をおいた複数の軸材６と、同じ高さ位置において間隔をおいた隣り合う軸材６に亘って挿通するように配置された貫３が、軸材間隔とほぼ同じ間隔で上下方向に間隔をおいて複数、ピッチをずらして配置されて、軸材６の両側からそれぞれ木製楔１０が圧入されて一体に接合され、面格子４３が形成されている。
【００８１】
前記第５実施形態の場合は、剛性の高い面格子４３とすることができる。また、短尺の挿し込み用貫２を多数用いることができるので、短尺の木材を有効に活用することができる。
【００８２】
前記実施形態では、柱からなる軸材６と貫３との接合構造及び接合方法について説明したが、貫穴を有する束からなる軸材に適用するようにしてもよい。また、前記実施形態では、一対の木製接合部材の背面に平坦な傾斜面を設けた形態を示したが、本発明を実施する場合、図示を省略するが、木製接合部材の背面を断面凸形又は断面凹形とした傾斜面としてもよい。また、本発明を実施する場合、図示を省略するが、閉鎖接合用孔に複数対の木製接合部材を挿入設置するようにしてもよい。
【００８３】
本発明を実施する場合、分割通し貫１及び挿し込み用貫２は、木製部材であるため、これらの部材の反りを防止するため、例えば、年輪の中心にして左右にそれぞれ部材を作製する場合には、部材における年輪側の面に部材長手方向に溝を設けて反りを防止するようにされる。
【符号の説明】
【００８４】
１  分割通し貫
２  挿し込み用貫
３  貫
４  木製接合部材
４ａ  木製接合部材
５  楔式接合装置
６ａ  柱材
６  軸材
７  接合用溝
８  貫穴
９  閉鎖接合用孔
１０  木製楔
１１  重合面
１２  係止凸部（木製接合部材側の）
１３  溝内側垂直壁面
１４  係止用溝
１５  下方に開口する凹部
１６  外側面凹部
１７  縦断面でＬ形の凹部
１８  傾斜面
１９  挿し込み角ほぞ部、又はほぞ部
２０  半分割接合用溝
２１  腰壁
２２  土台
２３  梁
２４  縦孔又は縦貫通孔
２５  角形横孔
２６  ほぞ（柱からなる軸材の）
２７  込栓
２８  溝
２９  係止凸部（分割通し貫１又は挿し込み用貫２側の）
３０  前面側の小幅厚板
３１  後面側の小幅厚板
３２  分割小幅厚板
３３  耐火・耐震壁
３４  前部壁面材
３５  後部壁面材
３６  Ｖ字状切欠き凹部
３７  境界段差部
３８  楔片
３９  木製楔
４０  木製貫（従来の）
４１  木製楔
４２  段部
４３  面格子
４４  格子戸
４５  格子子
４６  貫穴
４７  前部分割貫片
４８  後部分割貫片
４９  組合せ貫
５０  外側面凹部
【図１】
2013147826.tif 000003
【図２】
2013147826.tif 000004
【図３】
2013147826.tif 000005
【図４】
2013147826.tif 000006
【図５】
2013147826.tif 000007
【図６】
2013147826.tif 000008
【図７】
2013147826.tif 000009
【図８】
2013147826.tif 000010
【図９】
2013147826.tif 000011
【図１０】
2013147826.tif 000012
【図１１】
2013147826.tif 000013
【図１２】
2013147826.tif 000014
【図１３】
2013147826.tif 000015
【図１４】
2013147826.tif 000016
【図１５】
2013147826.tif 000017
【図１６】
2013147826.tif 000018
【図１７】
2013147826.tif 000019
【図１８】
2013147826.tif 000020
【図１９】
2013147826.tif 000021
【図２０】
2013147826.tif 000022
【図２１】
2013147826.tif 000023
【図２２】
2013147826.tif 000024
【図２３】
2013147826.tif 000025